(57)【要約】【課題】  手作業で洗車する際、節水と洗車作業者の手足が水浸しになることを軽減すると共に洗車作業の労力の軽減化による作業性の改善。【解決手段】  水圧を緩衝する水圧緩衝容器本体部１と洗剤液容器部８並びに水を供給するためのホース取付部１７で構成し、水圧緩衝容器本体部１の底部周側の適宜位置に放射状に複数の水出口３を設け、外部底部に磁石盤４を固着し、鉄板５を介して吸着盤７が着脱可能に形成している。また、水圧緩衝容器本体部１の外部上部に洗剤液容器部８を着脱できるように設着し、水圧緩衝容器本体部１の内部は洗剤液容器部８に設けた洗剤液供給孔９を介して洗剤液容器部８の内部と連通する。更に、洗剤液容器部８はボタン１０、軸１１、ばね１２、弁１３、シール材１４をそれぞれ連係して形成し、洗剤液供給孔９を開閉する。更に、水圧緩衝容器本体部１にはホース取付部１７を設ける。【選択図】図１
2013141973.tif 000002
【特許請求の範囲】
【請求項１】
水圧緩衝容器本体部１は水圧緩衝材２を充填し、底部周側の適宜位置に放射状に複数の水出口３を設け、外部底部に磁石盤４を固着し、鉄板５を介して吸着盤７が着脱可能に形成している。また、水圧緩衝容器本体部１の外部上部に洗剤液容器部８を着脱できるように設着し、水圧緩衝容器本体部１の内部は洗剤液容器部８に設けた洗剤液供給孔９を介して洗剤液容器部８の内部と連通する。更に、洗剤液容器部８はボタン１０、軸１１、ばね１２、弁１３、シール材１４はそれぞれ連係して形成する。更に、水圧緩衝容器本体部１にホース取付部１７を設けて構成した洗車用散水具。
【請求項２】
水圧緩衝容器本体部１の容器内の底部を凸形状にした請求項１記載の洗車用散水具。
【発明の詳細な説明】
【発明の詳細な説明】
【技術分野】
【０００１】  本発明は、水道ホ−スを使用して洗車する際、水圧で水が跳ね返ることなく車体の全方向に同時に散水することができる洗車用散水具に関する。
【背景技術】
【０００２】  従来、水道ホースで洗車する際、水を車体に対し集中して放水している。この場合、片手でホースを、もう一方の手で洗車ブラシを持って行っているか、若しくはホースが取り付いたブラシを片手で持って行っている。
【発明が解決しようとする課題】
【０００３】  従来、水道ホースで洗車する場合、ホース内の水の重みとブラシで擦るため両手にかかる労力の負担が大きい。また、ホースから圧力水を放出するため、水圧による水の跳ね返りで捨て水が多く、そのため作業者の手足が水浸しになったり、また、ホースが作業者の足回りや車体やタイヤに絡んだりして洗車するのに苦労するという問題点があった。
【０００４】  本発明は、上述した技術背景に鑑みホースを車体の屋根のほぼ水平となる位置に設着し、ブラシのみ手で持って素早く洗車作業ができることにより、両手にかかる労力の軽減と洗車作業時間の短縮並びに作業時間の短縮により節水できることを提供することを目的としている。
【課題を解決するための手段】
【０００５】  上記課題を解決するために、請求項１記載に係る洗車用散水具は次のように構成した。
【０００６】  請求項１：水圧を緩衝する水圧緩衝容器本体部と洗剤液容器部並びに洗車水を供給するためのホース取付部で構成し、水圧緩衝容器本体部の底部周側の適宜位置に放射状に複数の水出口を設け、更に、該容器の外部底部に磁石盤を固着し、鉄板を介して吸着盤を着脱可能に設ける。
【０００７】  更に、水圧緩衝容器本体部の外部上部に洗剤液容器部を着脱できるように設着し、水圧緩衝容器本体部の内部は該洗剤液容器部に設けた洗剤液供給孔を介して洗剤液容器部の内部と連通する。
【０００８】  また、洗剤液容器部は洗剤液を供給するためのボタン、軸、ばね、弁をそれぞれ連係して形成し、洗剤液供給孔を開閉する。
【０００９】  更に、水圧緩衝容器本体部はホース取付部を設ける。
【００１０】  また、請求項２記載にかかる洗車用散水具は下記に示すように構成した。
【００１１】  請求項２：水圧緩衝容器本体部内の水が容器周側の複数の水出口に分散するように容器内底部を凸形状に構成した。
【発明を実施するための形態】
【００１２】  発明の実施の形態を実施例にもとづき図面を参照して説明する。
【００１３】  本発明にかかる洗車用散水具の特徴は本発明を車体の屋根のほぼ水平となる位置に設着し、水道ホースを接続することで、ホースから放出する水の圧力は緩衝され、かつ、適量の洗剤が混合して車体の全方向にかかるようにするものであり、以下に詳述する。
【００１４】  図１においては実施形態にかかる洗車用散水具である。水圧を緩衝する水圧緩衝容器本体部１と洗剤液容器部８並びに洗車水を供給するホース取付部１７の三つの部体で構成し、水圧緩衝容器本体部１は底部周側の適宜位置に放射状に複数の水出口３を設け、更に、外部底部に磁石盤４を固着し、鉄板５を介して吸着盤７の吸着力か或いは磁石盤４の磁力で車体に設着できる。
【００１５】  磁石盤４で設着する場合、車体の塗装面が傷つかないように水圧緩衝容器本体部１の外部底部に柔軟材６を貼付けている。
【００１６】  前記水圧緩衝容器本体部１の内部には材質の種類及び形状は限定されるものではない水圧緩衝材２を充填している。
【００１７】  供給水は前記水圧緩衝材２により減圧撹拌され、水と洗剤液１６は均一な混合ができる。なお、水圧緩衝容器本体部１への供給水量は水道ホース元バルブで適宜調整するか、水圧緩衝容器本体部１のホース取付部の直近にバルブを設けて行う。
【００１８】  水圧緩衝容器本体部１の内部は洗剤液容器部８の底部に設けた洗剤液供給孔９を介して洗剤液容器部８の内部と連通する。
【００１９】  洗剤液容器部８内にボタン１０、軸１１、ばね１２、弁１３、シール材１４のそれぞれは連係し形成し、ボタン１０を引上げることにより軸１１、ばね１２を介して弁１３が洗剤液供給孔９を開くことにより、洗剤液１６を水圧緩衝容器本体部１の容器内部に適量供給する。弁が閉じることにより洗剤液の供給は止まる。また、洗剤液１６が容器外に漏れ出ないようにシール材１４を設けている。
【００２０】  洗剤液容器部８は洗剤液１６を補充するための蓋１５を設けている。
【００２１】  水圧緩衝容器本体部１から洗剤液容器部を取外し、洗剤液供給孔９に栓をすれば水洗いのみでも可能である。
【００２２】  更に、水圧緩衝容器本体部１はシール材１８、抜け止めピン１９をそれぞれ連係して形成したホース取付部１７を可動可能に設ける。該ホース取付部１７に水道ホース２０が挿着する。
【００２３】  図３において、実際に水圧緩衝容器本体部１を車体の屋根のほぼ水平位置に設着し水道ホースを接続して水を供給した場合、該容器から放射状に散水して流れる状態である。
【発明の効果】
【００２４】  本発明は、以上説明したように構成されているので、以下に記載されるような効果を奏する。
【００２５】  水圧緩衝容器本体部を車体の屋根のほぼ水平位置に吸着盤若しくは磁石盤で設着し、水道ホースを接続して水を供給すれば、容器に設けてある水出口より水圧が緩衝された水が放射状に散水する故、次にブラシかけしたい箇所に事前に水と洗剤液がかかり汚れが落とし易くなる。それ故、洗車作業が短縮でき、その分節水になる。
【００２６】  ホースを車体に設着するためホースを持つ必要がなく、片手でブラシを持ち洗車でき、作業者の手足が水浸しになることが軽減できる。またホースが足元や車体やタイヤに絡むことが解消でき、作業性が改善できる。
【００２７】  水圧緩衝容器本体部内部で洗剤液を適量混合する故、より効果的な洗車ができる。
【図面の簡単な説明】
【００２８】
【図１】  本発明にかかる洗車用散水具の縦断面図である。
【図２】  図１における平面図である。
【図３】  本発明を自動車に設着した実施例を示す図である。
【符号の説明】
【００２９】  １  水圧緩衝容器本体部
２  水圧緩衝材
３  水出口
４  磁石盤
５  鉄板
６  柔軟材
７  吸着盤
８  洗剤液容器部
９  洗剤液供給孔
１０  ボタン
１１  軸
１２  ばね
１３  弁
１４  シール材
１５  蓋
１６  洗剤液
１７  ホース取付部
１８  シール材
１９  抜け止めピン
２０  水道ホース
【図１】
2013141973.tif 000003
【図２】
2013141973.tif 000004
【図３】
2013141973.tif 000005